【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
動画像データを受信装置へ送信する送信装置であって、
前記送信装置がデータを送信してから前記受信装置が前記データを受信するまでに要する時間に対応した時間情報を取得する取得手段と、
前記時間情報に応じて、前記送信装置が送信したにもかかわらず前記受信装置が受信しなかった消失動画像データを再送するか、或いは、前記消失動画像データよりも再生時刻が後の動画像データを、前記消失動画像データを参照せずに符号化して送信するかを決定する決定手段と
を有することを特徴とする送信装置。
【請求項２】
送信順序が連続する複数の動画像データが消失動画像データとなった場合、
前記決定手段は、前記複数の消失動画像データのうち、第１の消失動画像データを再送すると決定した場合、前記第１の消失動画像データよりもあとの第２の前記消失動画像データを再送すると決定する
ことを特徴とする請求項１記載の送信装置。
【請求項３】
送信順序が連続する複数の動画像データが消失動画像データとなった場合、
前記決定手段は、前記複数の消失動画像データのうち、再送すると決定した消失動画像データを、再送しない消失動画像データを参照せずに符号化して送信すると決定する
ことを特徴とする請求項１記載の送信装置。
【請求項４】
送信順序が連続する複数の動画像データが消失動画像データとなった場合、
前記決定手段は、前記複数の消失動画像データのうち、第１の消失動画像データを参照せずに、未送信の動画像データを符号化して送信すると決定した場合、
前記第１の消失動画像データよりも前の第２の消失動画像データを参照せずに、未送信の動画像データを符号化して送信すると決定することを特徴とする請求項１記載の送信装置。
【請求項５】
前記消失動画像データが発生したことを示す消失情報を受信する受信手段を有し、
前記取得手段は、前記送信装置が前記消失情報を受信してから前記消失動画像データを再送するまでに要する第１の処理時間、及び、前記受信装置が消失動画像データを検知してから前記消失情報を送信するまでに要する第２の処理時間を取得し、
前記時間情報は、前記送信装置がデータを送信してから前記受信装置が前記データを受信するまでに要する時間と、前記受信装置から前記消失情報が送信されてから当該消失情報を受信するまでに要する時間との合計時間に応じた往復時間、及び、前記第１及び第２の処理時間の合計であり、
前記決定手段は、前記時間情報が示す時間が、前記受信装置が前記消失動画像データを検知した検知時刻と、前記消失動画像データを受信した場合に当該受信した消失動画像データを前記受信装置が復号する復号時刻との時間差に応じた時間よりも短い場合、前記消失動画像データを再送すると決定する
ことを特徴とする請求項１記載の送信装置。
【請求項６】
前記消失動画像データが発生したことを示す消失情報を受信する受信手段を有し、
前記取得手段は、前記送信装置が前記消失情報を受信してから前記消失動画像データを再送するまでに要する処理時間を取得し、
前記時間情報は、前記送信装置がデータを送信してから前記受信装置が前記データを受信するまでに要する時間、及び前記処理時間の合計であり、
前記決定手段は、前記時間情報が示す時間が、前記消失情報の受信時刻と、前記消失動画像データを受信した場合に当該受信した消失動画像データを前記受信装置が復号する復号時刻との時間差に応じた時間よりも短い場合、前記消失動画像データを再送すると決定する
ことを特徴とする請求項１記載の送信装置。
【請求項７】
前記消失動画像データが発生したことを示す消失情報を受信する受信手段を有し、
前記取得手段は、前記送信装置が前記消失情報を受信してから前記消失動画像データを再送するまでに要する処理時間を取得し、
前記時間情報は、前記送信装置がデータを送信してから前記受信装置が前記データを受信するまでに要する時間と、前記受信装置から消失情報が送信されてから当該消失情報を受信するまでに要する時間との合計時間に応じた往復時間、及び、前記処理時間の合計であり、
前記決定手段は、前記時間情報が示す時間が、前記受信装置が前記消失情報を送信した送信時刻と、前記消失動画像データを受信した場合に当該受信した消失動画像データを前記受信装置が復号する復号時刻との時間差に応じた時間よりも短い場合、前記消失動画像データを再送すると決定する
ことを特徴とする請求項１記載の送信装置。
【請求項８】
動画像データを受信装置へ送信する送信装置が行う通信方法であって、
取得手段が、前記送信装置がデータを送信してから前記受信装置が前記データを受信するまでに要する時間に対応する時間情報を取得する取得工程と、
決定手段が、前記時間情報に応じて、前記送信装置が送信したにもかかわらず前記受信装置が受信しなかった消失動画像データを再送するか、或いは、前記消失動画像データよりも再生時刻が後の動画像データを、前記消失動画像データを参照せずに符号化して送信するかを決定する決定工程と
を有することを特徴とする送信方法。
【請求項９】
送信順序が連続する複数の動画像データが消失動画像データとなった場合、
前記決定工程において、前記決定手段は、前記複数の消失動画像データのうち、第１の消失動画像データを再送すると決定した場合、前記第１の消失動画像データよりもあとの第２の前記消失動画像データを再送すると決定する
ことを特徴とする請求項８記載の送信方法。
【請求項１０】
動画像データを受信装置へ送信するコンピュータに、
前記コンピュータがデータを送信してから前記受信装置が前記データを受信するまでに要する時間に対応する時間情報を取得する取得手順と、
前記時間情報に応じて、前記コンピュータが送信したにもかかわらず前記受信装置が受信しなかった消失動画像データを再送するか、或いは、前記消失動画像データよりも再生時刻が後の動画像データを、前記消失動画像データを参照せずに符号化して送信するかを決定する決定手順と
を実行させることを特徴とするプログラム。
【請求項１１】
動画像データを送信する送信装置から動画像データを受信する受信装置であって、
取得手段が、前記送信装置がデータを送信してから前記受信装置が前記データを受信するまでに要する時間に対応した時間情報を取得する取得手段と、
決定手段が、前記時間情報に応じて、前記送信装置が送信したにもかかわらず前記受信装置が受信しなかった消失動画像データの再送を要求するか、或いは、前記消失動画像データよりも再生時刻が後の動画像データを、前記消失動画像データを参照せずに符号化する要求をするかを決定する決定手段と
を有することを特徴とする受信装置。
【請求項１２】
動画像データを送信する送信装置から動画像データを受信する受信装置が行う通信方法であって、
取得手段が、前記送信装置がデータを送信してから前記受信装置が前記データを受信するまでに要する時間に対応する時間情報を取得する取得工程と、
決定手段が、前記時間情報に応じて、前記送信装置が送信したにもかかわらず前記受信装置が受信しなかった消失動画像データの再送を要求するか、或いは、前記消失動画像データよりも再生時刻が後の動画像データを、前記消失動画像データを参照せずに符号化する要求をするかを決定する決定工程と
を有することを特徴とする通信方法。
【手続補正２】
【補正対象書類名】明細書
【補正対象項目名】００１２
【補正方法】変更
【補正の内容】
【００１２】
また、本発明の通信方法は、動画像データを受信装置へ送信する送信装置が行う通信方法であって、取得手段が、前記送信装置がデータを送信してから前記受信装置が前記データを受信するまでに要する時間に対応した時間情報を取得する取得工程と、決定手段が、前記時間情報に応じて、前記送信装置が送信したにもかかわらず前記受信装置が受信しなかった消失動画像データを再送するか、或いは、前記消失動画像データよりも再生時刻が後の動画像データを、前記消失動画像データを参照せずに符号化して送信するかを決定する決定工程とを有する。
【手続補正３】
【補正対象書類名】明細書
【補正対象項目名】００１３
【補正方法】変更
【補正の内容】
【００１３】
また、本発明の通信方法は、動画像データを送信する送信装置から動画像データを受信する受信装置が行う通信方法であって、取得手段が、前記送信装置がデータを送信してから前記受信装置が前記データを受信するまでに要する時間に対応した時間情報を取得する取得工程と、決定手段が、前記時間情報に応じて、前記送信装置が送信したにもかかわらず前記受信装置が受信しなかった消失動画像データの再送を要求するか、或いは、前記消失動画像データよりも再生時刻が後の動画像データを、前記消失動画像データを参照せずに符号化する要求をするかを決定する決定工程とを有する。